【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
下記条件Ａを満たす１又は複数の放射線画像検出装置と、前記放射線画像検出装置から放射線画像を表す放射線画像データを受信することを正常に完了したら、送信された放射線画像データを用いて当該放射線画像に対応する確認用画像を表示できる複数のコントローラとを有する放射線画像検出確認ネットワークシステム。
（条件Ａ）
前記放射線画像検出装置は、
（１）二次元状に配設された複数の固体光検出素子により、前記放射線画像データを出力する画像データ取得手段と、
前記複数のコントローラのいずれのコントローラに対しても前記放射線画像データを送信できる送信手段と、
前記コントローラに対して前記放射線画像データを送信することを正常に完了したか否かを検知する検知手段と、
複数の放射線画像に対応する放射線画像データを保存できるメモリとを有し、
（２）前記送信手段が、特定のコントローラに前記放射線画像データを送信することを開始した後に、
前記検知手段が、前記特定のコントローラに前記放射線画像データを送信することを正常に完了したか検知し、
（３）前記放射線画像検出装置が、放射線画像データを送信することを正常に完了したと前記検知手段が検知した場合、送信の完了した放射線画像データを前記メモリから削除し、前記放射線画像検出装置が、放射線画像データを送信することを正常に完了したと前記検知手段が検知しなかった場合、前記送信手段が前記特定のコントローラとは別のコントローラに送信する。
【請求項２】
前記複数のコントローラが、前記複数の放射線画像検出装置についての放射線画像検出装置固有の画像処理条件を共有し、受信した放射線画像データの送信元の放射線画像検出装置に応じた画像処理条件で、受信した放射線画像データに対して画像処理するものである請求項１に記載の放射線画像検出確認ネットワークシステム。
【請求項３】
前記複数のコントローラが、当該コントローラの操作者の操作者ＩＤを得る操作者ＩＤ取得手段を有し、前記操作者ＩＤ取得手段により得られた操作者ＩＤを送信するものであり、下記条件Ｂを満たす請求項１又は請求項２に記載の放射線画像検出確認ネットワークシステム。
（条件Ｂ）
（１）前記コントローラの操作者ＩＤ取得手段により取得された操作者ＩＤから、各コントローラと当該コントローラの現在、使用中の操作者の操作者ＩＤとを対応付け、
（２）前記コントローラから送信された操作者ＩＤと放射線画像とを対応付け、
（３）前記放射線画像検出装置の前記検知手段が送信することを正常に完了しなかったと検知し、前記放射線画像検出装置の前記送信手段が前記特定のコントローラとは別のコントローラに送信する場合、当該放射線画像に対応付けられた操作者ＩＤが、現在、使用中の操作者の操作者ＩＤであるコントローラに前記放射線画像検出装置の前記送信手段が当該放射線画像の放射線画像データを送信すること。
【請求項４】
前記条件Ａと下記条件Ｃを満たす放射線画像検出装置を有する請求項１又は請求項２に記載の放射線画像検出確認ネットワークシステム。
（条件Ｃ）
放射線画像検出装置は、前記特定のコントローラに送信することを正常に完了したと前記検知手段が検知しなかった場合の少なくとも一部のとき、予め定められた順番に基づいて前記コントローラのいずれかに放射線画像データを送信すること。
【請求項５】
前記条件Ａの（３）が、以下の条件（３）である請求項１から請求項４のいずれかに記載の放射線画像検出確認ネットワークシステム。
条件（３）
送信することを正常に完了したと検知しなかった場合、放射線画像検出装置側に問題があるか検知し、放射線画像検出装置側に問題があると検知した場合、別のコントローラに送信せず、放射線画像検出装置側に問題があると検知した場合以外の少なくとも一部のとき、別のコントローラに送信するものである。
【請求項６】
前記放射線画像検出装置の少なくとも１つが、電池を内蔵し、前記電池の電力によりコントローラに送信するものである請求項１から請求項５のいずれかに記載の放射線画像検出確認ネットワークシステム。
【請求項７】
前記送信手段は、無線信号により通信する通信部を備えることを特徴とする請求項１から請求項６のいずれか一項に記載の放射線画像検出確認ネットワークシステム。
【請求項８】
前記放射線画像検出装置の少なくとも１つが、可搬のカセッテ型ＦＰＤである請求項１から請求項７のいずれかに記載の放射線画像検出確認ネットワークシステム。
【請求項９】
前記放射線画像検出装置が、放射線画像データを送信することを正常に完了したと前記検知手段が検知しなかった場合、当該放射線画像データを保存しつづける請求項１から請求項８のいずれかに記載の放射線画像検出確認ネットワークシステム。
【請求項１０】
二次元状に配設された複数の固体光検出素子により、放射線画像を表す放射線画像データを出力する１又は複数の放射線画像検出装置と、放射線画像検出装置から放射線画像データを受信することを正常に完了したら、送信された放射線画像データを用いて当該放射線画像に対応する確認用画像を表示できる複数のコントローラとを有する放射線画像検出確認ネットワークシステムの前記放射線画像検出装置であり、前記複数のコントローラのいずれのコントローラに対しても放射線画像データを送信できる送信手段とコンピュータとを有する放射線画像検出装置の前記コンピュータを
前記送信手段が、特定のコントローラに前記放射線画像データを送信することを開始した後に、前記特定のコントローラに前記放射線画像データを送信することを正常に完了したか否かを検知する検知手段と、
放射線画像データを送信することを正常に完了したと前記検知手段が検知した場合、送信の完了した放射線画像データを前記メモリから削除し、前記放射線画像検出装置が、放射線画像データを送信することを正常に完了したと前記検知手段が検知しなかった場合、前記送信手段が前記特定のコントローラとは別のコントローラに送信するようにさせる制御手段として機能させる前記コンピュータが読取可能な放射線画像検出確認プログラム。
【請求項１１】
前記コンピュータを、前記制御手段として機能させる際に、
送信することを正常に完了したと前記検知手段が検知しなかった場合の少なくとも一部のとき、予め定められた順番に基づいて前記コントローラのいずれかに放射線画像データを送信するようにさせる前記コンピュータが読取可能な請求項１０に記載の放射線画像検出確認プログラム。
【請求項１２】
二次元状に配設された複数の固体光検出素子により、放射線画像を表す放射線画像データを出力する１又は複数の放射線画像検出装置と、操作者の操作者ＩＤを得る操作者ＩＤ取得手段を有し、前記操作者ＩＤ取得手段により得られた操作者ＩＤを送信し、放射線画像検出装置から放射線画像データを受信することを正常に完了したら、送信された放射線画像データを用いて当該放射線画像に対応する確認用画像を表示できる複数のコントローラとを有し、前記コントローラの操作者ＩＤ取得手段により取得された操作者ＩＤから、各コントローラの現在、使用中の操作者の操作者ＩＤを保持する放射線画像検出確認ネットワークシステムの前記放射線画像検出装置であり、前記複数のコントローラのいずれのコントローラに対しても放射線画像データを送信できる送信手段とコンピュータとを有する放射線画像検出装置の前記コンピュータを
前記コントローラから送信された操作者ＩＤと放射線画像とを対応付ける対応手段と、前記送信手段が、特定のコントローラに前記放射線画像データを送信することを開始した後に、前記特定のコントローラに前記放射線画像データを送信することを正常に完了したか検知する検知手段と、
送信することを正常に完了したと前記検知手段が検知しなかった場合の少なくとも一部のとき、当該放射線画像に対応付けられた操作者ＩＤが、現在、使用中の操作者の操作者ＩＤであるコントローラに前記放射線画像検出装置の前記送信手段が当該放射線画像の放射線画像データを送信するようにさせる制御手段として機能させる前記コンピュータが読取可能な放射線画像検出確認プログラム。
【請求項１３】
前記コンピュータを、前記検知手段が送信することを正常に完了したと検知しなかった場合、放射線画像検出装置側に問題があるか検知する放射線画像検出装置側通信検知手段として機能させ、
放射線画像検出装置側に問題があると検知した場合、別のコントローラに送信させず、放射線画像検出装置側に問題があると検知した場合以外の少なくとも一部のとき、別のコントローラに送信させるものである請求項１０から請求項１２のいずれかに記載の放射線画像検出確認プログラム。
【手続補正２】
【補正対象書類名】明細書
【補正対象項目名】０００４
【補正方法】変更
【補正の内容】
【０００４】
上記課題を解決するための手段を以下に示す。
＜請求項１＞
下記条件Ａを満たす１又は複数の放射線画像検出装置と、前記放射線画像検出装置から放射線画像を表す放射線画像データを受信することを正常に完了したら、送信された放射線画像データを用いて当該放射線画像に対応する確認用画像を表示できる複数のコントローラとを有する放射線画像検出確認ネットワークシステム。
（条件Ａ）
前記放射線画像検出装置は、
（１）二次元状に配設された複数の固体光検出素子により、前記放射線画像データを出力する画像データ取得手段と、
前記複数のコントローラのいずれのコントローラに対しても前記放射線画像データを送信できる送信手段と、
前記コントローラに対して前記放射線画像データを送信することを正常に完了したか否かを検知する検知手段と、
複数の放射線画像に対応する放射線画像データを保存できるメモリとを有し、
（２）前記送信手段が、特定のコントローラに前記放射線画像データを送信することを開始した後に、
前記検知手段が、前記特定のコントローラに前記放射線画像データを送信することを正常に完了したか検知し、
（３）前記放射線画像検出装置が、放射線画像データを送信することを正常に完了したと前記検知手段が検知した場合、送信の完了した放射線画像データを前記メモリから削除し、前記放射線画像検出装置が、放射線画像データを送信することを正常に完了したと前記検知手段が検知しなかった場合、前記送信手段が前記特定のコントローラとは別のコントローラに送信する。
＜請求項２＞
前記複数のコントローラが、前記複数の放射線画像検出装置についての放射線画像検出装置固有の画像処理条件を共有し、受信した放射線画像データの送信元の放射線画像検出装置に応じた画像処理条件で、受信した放射線画像データに対して画像処理するものである請求項１に記載の放射線画像検出確認ネットワークシステム。
＜請求項３＞
前記複数のコントローラが、当該コントローラの操作者の操作者ＩＤを得る操作者ＩＤ取得手段を有し、前記操作者ＩＤ取得手段により得られた操作者ＩＤを送信するものであり、下記条件Ｂを満たす請求項１又は請求項２に記載の放射線画像検出確認ネットワークシステム。
（条件Ｂ）
（１）前記コントローラの操作者ＩＤ取得手段により取得された操作者ＩＤから、各コントローラと当該コントローラの現在、使用中の操作者の操作者ＩＤとを対応付け、
（２）前記コントローラから送信された操作者ＩＤと放射線画像とを対応付け、
（３）前記放射線画像検出装置の前記検知手段が送信することを正常に完了しなかったと検知し、前記放射線画像検出装置の前記送信手段が前記特定のコントローラとは別のコントローラに送信する場合、当該放射線画像に対応付けられた操作者ＩＤが、現在、使用中の操作者の操作者ＩＤであるコントローラに前記放射線画像検出装置の前記送信手段が当該放射線画像の放射線画像データを送信すること。
＜請求項４＞
前記条件Ａと下記条件Ｃを満たす放射線画像検出装置を有する請求項１または請求項２に記載の放射線画像検出確認ネットワークシステム。
（条件Ｃ）
放射線画像検出装置は、前記特定のコントローラに送信することを正常に完了したと前記検知手段が検知しなかった場合の少なくとも一部のとき、予め定められた順番に基づいて前記コントローラのいずれかに放射線画像データを送信すること。
＜請求項５＞
前記条件Ａの（３）が、以下の条件（３）である請求項１〜４のいずれかに記載の放射線画像検出確認ネットワークシステム。
条件（３）
送信することを正常に完了したと検知しなかった場合、放射線画像検出装置側に問題があるか検知し、放射線画像検出装置側に問題があると検知した場合、別のコントローラに送信せず、放射線画像検出装置側に問題があると検知した場合以外の少なくとも一部のとき、別のコントローラに送信するものである。
＜請求項６＞
前記放射線画像検出装置の少なくとも１つが、電池を内蔵し、前記電池の電力によりコントローラに送信するものである請求項１〜５のいずれかに記載の放射線画像検出確認ネットワークシステム。
＜請求項７＞
前記送信手段は、無線信号により通信する通信部を備えることを特徴とする請求項１から請求項６のいずれか一項に記載の放射線画像検出確認ネットワークシステム。
＜請求項８＞
前記放射線画像検出装置の少なくとも１つが、可搬のカセッテ型ＦＰＤである請求項１から請求項７のいずれかに記載の放射線画像検出確認ネットワークシステム。
＜請求項９＞
前記放射線画像検出装置が、放射線画像データを送信することを正常に完了したと前記検知手段が検知しなかった場合、当該放射線画像データを保存しつづける請求項１から請求項８のいずれかに記載の放射線画像検出確認ネットワークシステム。
＜請求項１０＞
二次元状に配設された複数の固体光検出素子により、放射線画像を表す放射線画像データを出力する１又は複数の放射線画像検出装置と、放射線画像検出装置から放射線画像データを受信することを正常に完了したら、送信された放射線画像データを用いて当該放射線画像に対応する確認用画像を表示できる複数のコントローラとを有する放射線画像検出確認ネットワークシステムの前記放射線画像検出装置であり、前記複数のコントローラのいずれのコントローラに対しても放射線画像データを送信できる送信手段とコンピュータとを有する放射線画像検出装置の前記コンピュータを
前記送信手段が、特定のコントローラに前記放射線画像データを送信することを開始した後に、前記特定のコントローラに前記放射線画像データを送信することを正常に完了したか否かを検知する検知手段と、
放射線画像データを送信することを正常に完了したと前記検知手段が検知した場合、送信の完了した放射線画像データを前記メモリから削除し、前記放射線画像検出装置が、放射線画像データを送信することを正常に完了したと前記検知手段が検知しなかった場合、前記送信手段が前記特定のコントローラとは別のコントローラに送信するようにさせる制御手段として機能させる前記コンピュータが読取可能な放射線画像検出確認プログラム。
＜請求項１１＞
前記コンピュータを、前記制御手段として機能させる際に、
送信することを正常に完了したと前記検知手段が検知しなかった場合の少なくとも一部のとき、予め定められた順番に基づいて前記コントローラのいずれかに放射線画像データを送信するようにさせる前記コンピュータが読取可能な請求項１０に記載の放射線画像検出確認プログラム。
＜請求項１２＞
二次元状に配設された複数の固体光検出素子により、放射線画像を表す放射線画像データを出力する１又は複数の放射線画像検出装置と、操作者の操作者ＩＤを得る操作者ＩＤ取得手段を有し、前記操作者ＩＤ取得手段により得られた操作者ＩＤを送信し、放射線画像検出装置から放射線画像データを受信することを正常に完了したら、送信された放射線画像データを用いて当該放射線画像に対応する確認用画像を表示できる複数のコントローラとを有し、前記コントローラの操作者ＩＤ取得手段により取得された操作者ＩＤから、各コントローラの現在、使用中の操作者の操作者ＩＤを保持する放射線画像検出確認ネットワークシステムの前記放射線画像検出装置であり、前記複数のコントローラのいずれのコントローラに対しても放射線画像データを送信できる送信手段とコンピュータとを有する放射線画像検出装置の前記コンピュータを
前記コントローラから送信された操作者ＩＤと放射線画像とを対応付ける対応手段と、
前記送信手段が、特定のコントローラに前記放射線画像データを送信することを開始した後に、前記特定のコントローラに前記放射線画像データを送信することを正常に完了したか検知する検知手段と、
送信することを正常に完了したと前記検知手段が検知しなかった場合の少なくとも一部のとき、当該放射線画像に対応付けられた操作者ＩＤが、現在、使用中の操作者の操作者ＩＤであるコントローラに前記放射線画像検出装置の前記送信手段が当該放射線画像の放射線画像データを送信するようにさせる送信制御手段として機能させる前記コンピュータが読取可能な放射線画像検出確認プログラム。
＜請求項１３＞
前記コンピュータを、前記検知手段が送信することを正常に完了したと検知しなかった場合、放射線画像検出装置側に問題があるか検知する放射線画像検出装置側通信検知手段として機能させ、
放射線画像検出装置側に問題があると検知した場合、別のコントローラに送信させず、放射線画像検出装置側に問題があると検知した場合以外の少なくとも一部のとき、別のコントローラに送信させるものである請求項１０から請求項１２のいずれかに記載の放射線画像検出確認プログラム。
【手続補正３】
【補正対象書類名】明細書
【補正対象項目名】０００５
【補正方法】変更
【補正の内容】
【０００５】
請求項１に記載の発明によれば、特定のコントローラに放射線画像データを送信することを正常に完了しなかった場合でも、正常に完了しなかったと検知した場合、この特定のコントローラとは別のコントローラに送信し、その別のコントローラでその放射線画像データを用いて当該放射線画像に対応する確認用画像を表示できるので、撮影後即時に画像を確認することができる。
また、放射線画像検出装置の少なくとも１つが、取得した放射線画像データを特定のコントローラに送信することを正常に完了しなかった場合でも、他のコントローラに送信するまでの間に、別の放射線撮影により別の放射線画像データを保存することができる。
また、放射線画像データを送信することを正常に完了したと前記検知手段が検知したのに、当該放射線画像データを保存しつづける無駄の発生を抑え、また、放射線画像データを送信することを正常に完了したと前記検知手段が検知しないのに、当該放射線画像データを削除してしまう問題の発生を抑えることができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
請求項７に記載の発明によれば、放射線画像検出装置の少なくとも１つが、無線信号により通信する通信部を備えているので、放射線画像検出装置に送信用のケーブル等を接続していなくても送信が可能であり、取り回しが容易であり、システム構成上有利となる。
【手続補正６】
【補正対象書類名】明細書
【補正対象項目名】００１３
【補正方法】変更
【補正の内容】
【００１３】
請求項８に記載の発明によれば、放射線画像検出装置の少なくとも１つが、可搬のカセッテ型ＦＰＤであるので、持ち運びや取扱いが容易であり、システム構成上の自由度が向上する。
【手続補正７】
【補正対象書類名】明細書
【補正対象項目名】００１４
【補正方法】変更
【補正の内容】
【００１４】
請求項９に記載の発明によれば、放射線画像データを送信することを正常に完了したと検知手段が検知しないのに、当該放射線画像データを削除してしまう問題の発生を抑えることができる。
【手続補正８】
【補正対象書類名】明細書
【補正対象項目名】００１５
【補正方法】変更
【補正の内容】
【００１５】
請求項１０に記載の発明によれば、放射線画像検出確認ネットワークシステムの放射線画像検出装置のコンピュータで機能することにより、特定のコントローラに放射線画像データを送信することを正常に完了しなかった場合でも、正常に完了しなかったと検知した場合、この特定のコントローラとは別のコントローラに送信し、その別のコントローラでその放射線画像データを用いて当該放射線画像に対応する確認用画像を表示できるので、撮影後即時に画像を確認することができる。
また、放射線画像検出装置の少なくとも１つが、取得した放射線画像データを特定のコントローラに送信することを正常に完了しなかった場合でも、他のコントローラに送信するまでの間に、別の放射線撮影により別の放射線画像データを保存することができる。
また、放射線画像データを送信することを正常に完了したと前記検知手段が検知したのに、当該放射線画像データを保存しつづける無駄の発生を抑え、また、放射線画像データを送信することを正常に完了したと前記検知手段が検知しないのに、当該放射線画像データを削除してしまう問題の発生を抑えることができる。
【手続補正９】
【補正対象書類名】明細書
【補正対象項目名】００１６
【補正方法】変更
【補正の内容】
【００１６】
請求項１１に記載の発明によれば、特定のコントローラに送信することを正常に完了しなかった場合の少なくとも一部のとき、予め定められた順番に基づいて前記コントローラのいずれかに放射線画像データを送信するので、操作者がどのコントローラで確認できるか直ぐに判断でき、迷うことなく即時に放射線画像の確認用画像で確認できる。
【手続補正１０】
【補正対象書類名】明細書
【補正対象項目名】００１７
【補正方法】変更
【補正の内容】
【００１７】
請求項１２に記載の発明によれば、操作者ＩＤと放射線画像とを対応付け、現在、使用中の操作者の操作者ＩＤとコントローラとを対応付けられるので、放射線画像データを特定のコントローラへ送信することを正常に完了しなかったと検知した場合の少なくとも一部のとき、当該放射線画像に対応する操作者が現在、使用中のコントローラに、この放射線画像データを送信するので、当該放射線画像に対応する操作者が撮影後即時に画像を確認することができる。
【手続補正１１】
【補正対象書類名】明細書
【補正対象項目名】００１８
【補正方法】変更
【補正の内容】
【００１８】
請求項１３に記載の発明によれば、放射線画像検出装置側に問題がある場合に特定のコントローラ以外の他のコントローラに送信しようとする無駄を省きつつ、放射線画像検出装置側に問題があると検知した場合以外の少なくとも一部のとき、別のコントローラに送信するので、撮影後即時に画像を確認することができる。